【手続補正書】
【提出日】平成22年2月22日(2010.2.22)
【手続補正１】
【補正対象書類名】特許請求の範囲
【補正対象項目名】全文
【補正方法】変更
【補正の内容】
【特許請求の範囲】
【請求項１】
通信回線に接続され、非ＳＩＰ情報端末装置を接続して通信を行う場合、前記非ＳＩＰ情報端末装置に代行してＳＩＰセッションの確立及び切断や、ＳＩＰメッセージの送信を行うように構成したことを特徴とするＳＩＰコンバータ装置。
【請求項２】
前記非ＳＩＰ情報端末装置とデータを送受信する端末インタフェース部と、
前記通信回線を介して接続された通信相手とのＳＩＰセッションの確立及び切断や、ＳＩＰメッセージの送信を行うＳＩＰセッション処理部と、
ＳＩＰメッセージの生成及び前記非ＳＩＰ情報端末装置の非ＳＩＰ情報と前記ＳＩＰメッセージとの変換を行うデータ変換部と、
これら端末インタフェース部、データ変換部及び、ＳＩＰセッション制御部を制御する制御部と、を有して構成したことを特徴とする請求項１記載のＳＩＰコンバータ装置。
【請求項３】
前記制御部は、前記端末インタフェース部への前記非ＳＩＰ情報端末装置の接続または電源投入を感知して前記ＳＩＰセッション処理部にＳＩＰセッションを確立させると共に、前記端末インタフェースへの前記非ＳＩＰ情報端末装置の切離しまたは電源切断を感知して前記ＳＩＰセッション処理部にＳＩＰセッションの切断を行わせるように構成したことを特徴とする請求項２に記載のＳＩＰコンバータ装置。
【請求項４】
前記制御部は、前記端末インタフェース部への前記非ＳＩＰ情報端末装置の接続または電源投入がなされた後スイッチまたはボタン等から構成されるセッション切替部のＯＮ動作を感知することによって、前記ＳＩＰセッション処理部にＳＩＰセッションを確立させると共に、前記端末インタフェースへの前記非ＳＩＰ情報端末装置の切離しまたは電源切断が行われた後に前記スイッチまたはボタン等のＯＦＦ動作を感知することによって、前記ＳＩＰセッション処理部にＳＩＰセッションの切断を行わせるように構成したことを特徴とする請求項２に記載のＳＩＰコンバータ装置。
【請求項５】
前記非ＳＩＰ情報端末装置がＵＳＢデバイスであり、接続された前記ＵＳＢデバイスの電源投入により、前記制御部は、前記ＳＩＰセッション処理部に、設定された通信相手との間で自動的にＳＩＰセッションを確立させ、前記ＵＳＢデバイスの電源切断により確立された前記ＳＩＰセッションを切断させるように制御することを特徴とする請求項２に記載のＳＩＰコンバータ装置。
【請求項６】
前記非ＳＩＰ情報端末装置と前記端末インタフェース部とをシリアルインタフェースにより接続しており、前記制御部は、前記非ＳＩＰ情報端末装置からの発呼要求を受信したことにより、前記ＳＩＰセッション処理部に、ＳＩＰセッションを確立させると共に、前記非ＳＩＰ情報端末装置からの切断通知の受信により確立した前記ＳＩＰセッションを切断させるように制御することを特徴とする請求項２に記載のＳＩＰコンバータ装置。
【請求項７】
前記制御部は、前記非ＳＩＰ情報端末装置からのＴＣＰ転送許可要求により、前記ＳＩＰセッション処理部に、ＳＩＰセッションを確立させると共に、前記非ＳＩＰ情報端末装置からのＴＣＰ転送終了要求により確立した前記ＳＩＰセッションを切断させるように制御することを特徴とする請求項２に記載のＳＩＰコンバータ装置。
【請求項８】
前記制御部は、前記非ＳＩＰ情報端末部からのＵＤＰフレームの受信により、前記データ変換部に前記非ＳＩＰ情報端末装置からの非ＳＩＰ受信データをＳＩＰメッセージに変換させ、前記通信回線を介して接続されている通信相手に送信するように構成したことを特徴とする請求項２に記載のＳＩＰコンバータ装置。
【請求項９】
前記制御部は、前記非ＳＩＰ情報端末装置から受信した接点情報により、前記ＳＩＰセッション処理部にＳＩＰセッションの確立または切断を行わせるように制御したことを特徴とする請求項２に記載のＳＩＰコンバータ装置。
【請求項１０】
上記制御部は、前記接点情報を監視して、当該接点情報の変化をＳＩＰメッセージにより通信回線を介して接続されている通信相手に送信するように構成したことを特徴とする請求項９に記載のＳＩＰコンバータ装置。
【手続補正２】
【補正対象書類名】明細書
【補正対象項目名】０００５
【補正方法】変更
【補正の内容】
【０００５】
本発明に係るＳＩＰコンバータ装置は、通信回線に接続され、非ＳＩＰ情報端末装置を接続して通信を行う場合、前記非ＳＩＰ情報端末装置に代行してＳＩＰセッションの確立及び切断や、ＳＩＰメッセージの送信を行うように構成したことを特徴とするものである。
【手続補正３】
【補正対象書類名】明細書
【補正対象項目名】０００８
【補正方法】変更
【補正の内容】
【０００８】
また、本発明に係るＳＩＰコンバータ装置は、上記発明において、前記非ＳＩＰ情報端末装置とデータを送受信する端末インタフェース部と、前記通信回線を介して接続された通信相手とのＳＩＰセッションの確立及び切断や、ＳＩＰメッセージの送信を行うＳＩＰセッション処理部と、ＳＩＰメッセージの生成及び前記非ＳＩＰ情報端末装置の非ＳＩＰ情報と前記ＳＩＰメッセージとの変換を行うデータ変換部と、これら端末インタフェース部、データ変換部及び、ＳＩＰセッション制御部を制御する制御部とを有して構成することができる。
【手続補正４】
【補正対象書類名】明細書
【補正対象項目名】００１２
【補正方法】変更
【補正の内容】
【００１２】
また、本発明は、上記発明における制御部を、前記端末インタフェース部への前記非ＳＩＰ情報端末装置の接続または電源投入を感知して前記ＳＩＰセッション処理部にＳＩＰセッションを確立させると共に、前記端末インタフェースへの前記非ＳＩＰ情報端末装置の切離しまたは電源切断を感知して前記ＳＩＰセッション処理部にＳＩＰセッションの切断を行わせるように構成することができる。
【手続補正５】
【補正対象書類名】明細書
【補正対象項目名】００１３
【補正方法】変更
【補正の内容】
【００１３】
また、本発明は、上記発明における制御部を、前記端末インタフェース部への前記非ＳＩＰ情報端末装置の接続または電源投入がなされた後スイッチまたはボタン等から構成されるセッション切替部のＯＮ動作を感知することによって、前記ＳＩＰセッション処理部にＳＩＰセッションを確立させると共に、前記端末インタフェースへの前記非ＳＩＰ情報端末装置の切離しまたは電源切断が行われた後に前記スイッチまたはボタン等のＯＦＦ動作を感知することによって、前記ＳＩＰセッション処理部にＳＩＰセッションの切断を行わせるように構成することができる。
【手続補正６】
【補正対象書類名】明細書
【補正対象項目名】００１４
【補正方法】変更
【補正の内容】
【００１４】
また、本発明は、上記発明において、前記非ＳＩＰ情報端末装置がＵＳＢデバイスであり、接続された前記ＵＳＢデバイスの電源投入により、前記制御部は、前記ＳＩＰセッション処理部に、設定された通信相手との間で自動的にＳＩＰセッションを確立させ、前記ＵＳＢデバイスの電源切断により確立された前記ＳＩＰセッションを切断させるように制御するように構成することができる。
【手続補正７】
【補正対象書類名】明細書
【補正対象項目名】００１８
【補正方法】変更
【補正の内容】
【００１８】
また、本発明は、上記発明において、前記非ＳＩＰ情報端末装置と前記端末インタフェース部とをシリアルインタフェースにより接続しており、前記制御部は、前記非ＳＩＰ情報端末装置からの発呼要求を受信したことにより、前記ＳＩＰセッション処理部に、ＳＩＰセッションを確立させると共に、前記非ＳＩＰ情報端末装置からの切断通知の受信により確立した前記ＳＩＰセッションを切断させるように制御する構成とすることができる。
【手続補正８】
【補正対象書類名】明細書
【補正対象項目名】００２２
【補正方法】変更
【補正の内容】
【００２２】
また、本発明は、上記発明において、前記制御部を、前記非ＳＩＰ情報端末装置からのＴＣＰ転送許可要求により、前記ＳＩＰセッション処理部に、ＳＩＰセッションを確立させると共に、前記非ＳＩＰ情報端末装置からのＴＣＰ転送終了要求により確立した前記ＳＩＰセッションを切断させるように制御する構成とすることができる。
【手続補正９】
【補正対象書類名】明細書
【補正対象項目名】００２３
【補正方法】変更
【補正の内容】
【００２３】
また、本発明は、上記発明において、前記制御部を、前記非ＳＩＰ情報端末部からのＵＤＰフレームの受信により、前記データ変換部に前記非ＳＩＰ情報端末装置からの非ＳＩＰ受信データをＳＩＰメッセージに変換させ、前記通信回線を介して接続されている通信相手に送信するように構成することができる。
【手続補正１０】
【補正対象書類名】明細書
【補正対象項目名】００２４
【補正方法】変更
【補正の内容】
【００２４】
また、本発明は、上記発明において、前記制御部を、前記非ＳＩＰ情報端末装置から受信した接点情報により、前記ＳＩＰセッション処理部にＳＩＰセッションの確立または切断を行わせるように制御するように構成することができる。
【手続補正１１】
【補正対象書類名】明細書
【補正対象項目名】００２５
【補正方法】変更
【補正の内容】
【００２５】
さらに、本発明は、上記発明において、制御部を、前記接点情報を監視して、当該接点情報の変化をＳＩＰメッセージにより通信回線を介して接続されている通信相手に送信するように構成することができる。